(57)【要約】      （修正有）【課題】全体として小型化・薄型化を図り得るだけでなく、アンテナ性能を高め得る腕装着型通信装置を提供する。【解決手段】腕装着型通信装置１は、通信装置本体部２及び該本体部２を利用者の腕に着脱可能に取付けるバンド部５，６を有すると共に、接地導体５５が放射導体５４よりも内周側に位置するようにバンド部５に収容されたパッチアンテナ５１と、通信装置本体部４１の筐体部１１，１２内に位置する第一回路基板部７０ａ、及びパッチアンテナ５１よりも内周側においてバンド部５の筐体部１２，２２内に位置する第二回路基板部７０ｂを備え、第一及び第二回路基板部７０ａ，７０ｂの両方に亘って拡がったアース電極３２を備えた回路基板７０とを有し、パッチアンテナ５１の接地導体５５が回路基板７０のアース電極３２に接続される。【選択図】図１
2004312707.tif 000002
【特許請求の範囲】
【請求項１】
通信装置本体部及び該本体部を利用者の腕に着脱可能に取付けるバンド部を備えた腕装着型通信装置であって、
接地導体が放射導体よりも内周側に位置するようにバンド部に収容されたパッチアンテナと、
通信装置本体部の筐体部内に位置する第一回路基板部、及びパッチアンテナよりも内周側においてバンド部の筐体部内に位置する第二回路基板部を備え、当該第一及び第二回路基板部の両方に亘って拡がったアース電極を備えた回路基板とを有し、
パッチアンテナの接地導体が回路基板のアース電極に接続されている腕装着型通信装置。
【請求項２】
回路基板がフレキシブル回路基板を含む請求項１に記載の腕装着型通信装置。
【請求項３】
バンド部が、一対のバンド部分からなり、アース電極を備えた前記回路基板が、バンド部のうちパッチアンテナが収容されたバンド部分だけでなく、もう一方のバンド部分にも延びている請求項１又は２に記載の腕装着型通信装置。
【請求項４】
携帯電話機能を備え、パッチアンテナが収容されたバンド部に携帯電話の受話用スピーカ及び送話用マイクロホンのうちのいずれか一方が収容されている請求項１から３までのいずれか一つの項に記載の腕装着型通信装置。
【請求項５】
前記パッチアンテナは接地導体と放射導体を有し、該接地導体と該放射導体が並行して配置してあるか、または該接地導体に対し放射導体が湾曲または傾斜して配置してあることを特徴とする請求項１乃至請求項４記載の腕装着型通信装置。
【請求項６】
通信装置本体部及び該本体部を利用者の腕に着脱可能に取付けるバンド部とを備えた腕装着型通信装置であって、
アンテナの指向性が外側方向に強く向かうようにバンド部に収容されたアンテナを有し、通信装置本体部の筐体部内に位置する第一回路基板部、及びバンド部の筐体部内に配置された第二回路基板部を備え、該第二回路基板部は全部かまたは一部がアンテナよりも内周側に位置し、第一及び第二回路基板部の両方に亘って拡がったアース電極にアンテナの接地導体が接続されていることを特徴とする腕装着型通信装置。
【請求項７】
前記アンテナは誘電体に接地導体と放射導体を備えたアンテナであることを特徴とする請求項６記載の腕装着型通信装置。
【請求項８】
バンド部が、一対のバンド部分からなり、アース電極を備えた前記回路基板が、バンド部のうちアンテナが収容されたバンド部分だけでなく、もう一方のバンド部分にも延びている請求項６又は７に記載の腕装着型通信装置。
【請求項９】
前記アース電極は筐体の外縁形状に沿って配置されていることを特徴とする請求項１または請求項６乃至請求項８記載の腕装着型通信装置。
【請求項１０】
前記回路基板は筐体の外縁形状と同様な外縁形状を有し、前記回路基板の外縁部が表側および裏側筐体の間においてシール部材を介して挟持され防水性を有することを特徴とする請求項９記載の腕装着型通信装置。
【請求項１１】
前記第二回路基板部に前記アンテナの給電点を挟み対向する位置にそれぞれアース電極を配置し、前記第二回路基板部に電気信号の配線をアンテナの給電点から離れたアース電極側に配置することを特徴とする請求項１乃至請求項１０記載の腕装着型通信装置。
【請求項１２】
前記電気信号の配線はマイクまたはスピーカの配線であることを特徴とする請求項１１記載の腕装着型通信装置。
【請求項１３】
前記アンテナの接地導体にアンテナ基板を固着させ、該アンテナ基板は接地用導体部を有し、該接地用導体部は前記アンテナの接地導体と前記第一及び第二回路基板部のアース電極に接続されていることを特徴とする請求項１乃至請求項１２記載の腕装着型通信装置。
【請求項１４】
前記回路基板にアンテナの整合回路を備え、前記アンテナの放射導体部と接続されていることを特徴とする請求項１３記載の腕装着型通信装置。
【請求項１５】
前記アンテナ基板の固着面の面積が前記アンテナの接地導体の面積より小さいことを特徴とする請求項１３乃至請求項１４記載の腕装着型通信装置。
【請求項１６】
請求項１乃至１５のいずれか一つの項に記載の腕装着型通信装置を備えた情報端末装置。
【発明の詳細な説明】
【技術分野】
【０００１】
本発明は、腕装着型通信装置に係る。
【背景技術】
【０００２】
腕装着型通信装置は、利用者の腕部、典型的には、手首部に装着されることから、邪魔にならないように出来るだけ小型化されることが望ましく、また、小型化に伴い送受信される電磁波が通信装置本体（回路部分）に対するノイズになり易いことからこのノイズを最小限に抑えることが望ましく、更に、腕装着型通信装置は、体表面に密接するように装着されることから、電波信号の送受信に際して、人体の影響を受けるのを最小限にすることが望ましい。
【０００３】
腕装着型通信装置としては、人体の影響を最小限にすることを目的として、例えば、腕時計本体の上部面にヘリカルアンテナを突設するようにした腕時計型無線機が提案されている（特許文献１）。
【特許文献１】特開平１１−１７７３２８号公報
【特許文献２】特開平６−２２４６２０号公報（特許第３２４８２７７号公報）
【特許文献３】特開２００２−３５３７１８号公報
【発明の開示】
【発明が解決しようとする課題】
【０００４】
しかしながら、この特許文献１に開示の腕時計型無線機では、アンテナが本体の表面から大きく突出するので、本体が大きくなったり特殊な形状を有するのを避け難いだけでなく、携帯性にも欠ける。
【０００５】
一方、腕装着型通信装置に係るものではないけれども、船舶や航空機や自動車などの移動体に使用される平面パッチアンテナにおいて、平面パッチアンテナ本体よりも大きいアンテナ基板を平面パッチアンテナ本体のアース電極（接地導体）に対向させて配置することにより、帯域幅を拡げるようにすることや（特許文献２）、折畳式の携帯電話において、パッチアンテナのアース基板とは別体のアース基板をパッチアンテナが収容されていない方の筐体部分に設けると共に二つのアース基板をフレキシブル導電手段で接続することによりアース基板を大きくして帯域幅を拡げるようにすること（特許文献３）も提案されている。
【０００６】
但し、前者の平面パッチアンテナは、アンテナ基板がパッチアンテナに対向した位置で大型化するので、アンテナ装置が全体として大型化するのを避け難い。一方、後者のアンテナ装置を含む折畳式の携帯電話では、アンテナと利用者の身体との相対位置が一義的には決まらないことから、携帯電話のポケット等への収容の仕方によっては、アンテナが所望の特性を発揮し難い虞れがある。
【０００７】
本発明は、前記した点に鑑みなされたものであって、その目的とするところは、全体として小型化・薄型化を図り得るだけでなく、アンテナ性能を高め得る腕装着型通信装置を提供することにある。
【課題を解決するための手段】
【０００８】
本発明の腕装着型通信装置は、前記目的を達成すべく、通信装置本体部及び該本体部を利用者の腕に着脱可能に取付けるバンド部を備えた腕装着型通信装置であって、接地導体が放射導体よりも内周側に位置するようにバンド部に収容されたパッチアンテナと、通信装置本体部の筐体部内に位置する第一回路基板部、及びパッチアンテナよりも内周側においてバンド部の筐体部内に位置する第二回路基板部を備え、第一及び第二回路基板部の両方に亘って拡がったアース電極を備えた回路基板とを有し、パッチアンテナの接地導体が回路基板のアース電極に接続されている。
【０００９】
本発明の腕装着型通信装置では、「接地導体が放射導体よりも内周側に位置するようにパッチアンテナが収容され」ているので、パッチアンテナによる送受信に際して、腕部の影響が最低限に抑えられ得る。また、本発明の腕装着型通信装置では、「アース電極を備えた回路基板の第二回路基板部がパッチアンテナよりも内周側においてバンド部の筐体部内に位置し、パッチアンテナの接地導体が回路基板のアース電極に接続されている」ので、パッチアンテナによる送受信に際して、腕部の影響が最低限に抑えられ得る。また、本体部にパッチアンテナを収容する必要がないので、本体部の小型化・薄型化が図られ得る。更に、本発明の腕装着型通信装置では、「パッチアンテナがバンド部」に収容されていているので、通信装置本体から離れたところに位置し得るから、パッチアンテナの電波により通信装置本体の回路部分が影響を受ける虞を最低限に抑え得る。加えて、本発明の腕装着型通信装置では、「パッチアンテナの接地導体に第二回路基板部で接続されたアース電極を含む回路基板が通信装置本体部の筐体部内に位置する第一回路基板部を更に有する」ので、パッチアンテナの収容されたバンド部内の第二回路基板部の占有領域を最低限に抑えたままで、アンテナの帯域幅を拡げ得るだけでなく、腕部の影響を最小限に抑え得且つアンテナの利得を最大限に高め得る。
【００１０】
ここで、回路基板は、導電性パターンとしてはアース電極のみを含むアース基板であってもよいけれども、アース基板に限られず、アース電極パターンに加えて、他の信号線のパターンや給電線のパターンのうちの一方又は両方を同時に含んでいてもよい。この回路基板のアース電極は、パッチアンテナの放射導体から比較的離れ且つその接地導体の背面側に位置することから、放射導体のところで送受信される電波の影響を比較的受けにくく、且つ電波の一部がパッチアンテナの背面側から放射されたり背面側で受信されるのを最低限に抑え得る。回路基板は、バンド部や本体部の全面にあってもよいけれども、必ずしも全面にある必要はなく、回路部品等により占有されるスペースないし領域が確保され得るように該領域を避けつつ配線パターンが形成されるように、一部の領域にあってもよい。
【００１１】
この明細書において、腕装着型通信装置に関し、「内周側」とは、該腕装着型通信装置が利用者の腕部の周りに装着された際に、腕部の表面に近接する側をいう。
【００１２】
本発明の腕装着型通信装置では、典型的には、回路基板がフレキシブル回路基板を含み、例えば、アース電極を含む前記回路基板の全体がフレキシブル回路基板からなる。その場合、アース電極を含むフレキシブル回路基板を、腕装着型通信装置の本体部の筐体内やバンド部の筐体内だけでなく本体部とバンド部とを連結するヒンジ部（回動部）の如き連結部を含む全体にわたって形成しておき、該フレキシブル回路基板のアース電極にパッチアンテナの接地導体を電気的に直結するだけで、大きなアース電極につながった接地電極を備えたパッチアンテナが得られる。
【００１３】
本発明の腕装着型通信装置では、典型的には、バンド部が、一対のバンド部分からなり、アース電極を備えた前記回路基板が、バンド部のうちパッチアンテナが収容されたバンド部分だけでなく、もう一方のバンド部分にも延びている。その場合、アース電極を備えた回路基板は、パッチアンテナのあるバンド部及び本体部だけに拡がっていてもよいけれども、典型的には、もう一つのバンド部にも延在している。これにより、パッチアンテナの接地電極に接続されるアース電極を最大限に拡げることが可能になるだけでなく、利用者の腕部の実質的に全周をアース電極で取囲むことが可能になり、パッチアンテナの背面側に位置する利用者の腕部の影響を最小限に抑えることが可能になるだけでなく、該背面側に位置する利用者の腕部がマイクロ波領域の電波の影響を受けるのを最低限に抑え得る。
【００１４】
本発明の腕装着型通信装置は、典型的には腕装着型携帯電話等として用いられ、その場合、典型的にはパッチアンテナが収容されたバンド部に携帯電話の受話用スピーカ及び送話用マイクロホンのうちのいずれか一方が収容されている。なお、本発明の腕装着型通信装置は、更に、情報通信端末装置としてデータ通信を含む多種類の情報の通信用端末として用いられ得、また、所望の情報処理装置を組み込んだり、所望のセンサ等を組み込んでもよい。
【００１５】
また、アンテナの接地導体にアンテナの整合回路または接地導体とアース電極を接続するための接地用導体部を有する回路基板を固着しアンテナと回路部のインピーダンスの整合を行ない、更にその固着面の面積は接地胴体の面積より小さいものとしてもよい。
【発明の効果】
【００１６】
接地導体が放射導体よりも内周側に位置するようにパッチアンテナが収容されているので、パッチアンテナによる送受信に際して、腕部の影響が抑えられ得る。また、本体部にパッチアンテナを収容する必要がないので、本体部の小型化・薄型化が図られ得る。
【００１７】
また、通信装置本体とパッチアンテナが離れたところに位置し得るから、パッチアンテナの電波により通信装置本体の回路部分が影響を受ける虞を抑え得る。
【００１８】
また、パッチアンテナの接地導体に第二回路基板部で接続されたアース電極を含む回路基板が通信装置本体部の筐体部内に位置する第一回路基板部にも有するので、パッチアンテナの収容されたバンド部内の第二回路基板部の占有領域を抑えたままで、アンテナの帯域幅を拡げ得るだけでなく、腕部の影響を抑え得且つアンテナの利得を高め得る。
【００１９】
また、回路基板のアース電極は、パッチアンテナの放射導体から比較的離れ且つその接地導体の背面側に位置することから、放射導体のところで送受信される電波の影響を比較的受けにくく、且つ電波の一部がパッチアンテナの背面側から放射されたり背面側で受信されるのを抑え得る。
【００２０】
また、アース電極を含む前記回路基板の全体がフレキシブル回路基板からなる場合、アース電極を含むフレキシブル回路基板を、腕装着型通信装置の本体部の筐体内やバンド部の筐体内だけでなく本体部とバンド部とを連結するヒンジ部（回動部）の如き連結部を含む全体にわたって形成しておき、該フレキシブル回路基板のアース電極にパッチアンテナの接地導体を電気的に直結するだけで、大きなアース電極につながった接地電極を備えたパッチアンテナが得られる。
【００２１】
また、パッチアンテナをほぼ矩形の厚板状で、幅方向の厚さを変化させるべく湾曲した上面を備えた誘電体の湾曲面のほぼ全域上に形成された放射導体層ないし放射導体部と、平坦な底面の実質的に全域に形成された接地導体層ないし接地導体部とを備えたアンテナを用いることで帯域幅が拡がることが得られる。
【００２２】
また、バンド部が一対のバンド部分からなり、アース電極を備えた回路基板が、バンド部のうちパッチアンテナが収容されたバンド部分だけでなく、もう一方のバンド部分にも延び、これによりパッチアンテナの接地電極に接続されるアース電極を拡げることが可能になるだけでなく、利用者の腕部の実質的に全周をアース電極で取囲むことが可能になり、パッチアンテナの背面側に位置する利用者の腕部の影響を抑えることが可能になるだけでなく、該背面側に位置する利用者の腕部がマイクロ波領域の電波の影響を受けるのを抑え得る。
【００２３】
また、アンテナの給電点から離れるようにスピーカやマイクなどの信号線を配置することで信号線に生じるノイズを抑え得る。
【００２４】
また、フレキシブル配線基板は、アース基板に限られず、アース電極パターンに加えて、他の信号線のパターンや給電線のパターンを含むことで各種の信号や給電エネルギを伝える本来の回路基板としての役割を果たさせつつ、他方では、アンテナの送受信特性を高めることが可能である。
【００２５】
また、アンテナの接地導体に整合回路を備えた回路基板を固着しアンテナと回路側とのインピーダンス整合することが可能である。
【発明を実施するための最良の形態】
【００２６】
本発明の好ましい一実施の形態を添付図面に示した好ましい一実施例に基づいて説明する。
【実施例】
【００２７】
図１から図４には、本発明による好ましい一実施例の腕装着型通信装置１が、示されている。この腕装着型通信装置１は、本体部２と、回動軸３，４のまわりで本体部２に対してＡ，Ｂ方向に回動可能なバンド部としての剛性のアーム部５，６とを有する。アーム部５，６は、通常使用状態において、折れ曲がって裏表が逆転しない程度の剛性がある限り、ある程度可撓性であってもよい。
【００２８】
構造上は、例えば、図１の分解斜視図に詳細に示したように、多数の止めねじ９などで相互に固定される表側筐体部１０及び裏側筐体部２０によって剛性筐体７が形成されており、表側筐体部１０は、本体部２の表側筐体部分を構成する表側ケース１１と、アナログ時計でいえば１２時側に位置する１２時バンド部に相当するアッパーアーム部５の表側筐体部分を構成する表側アッパーアーム部１２と、アナログ時計でいえば６時側に位置する６時バンド部に相当するロア−アーム部６の表側筐体部分を構成する表側ロア−アーム部１３とを有する。一方、裏側筐体部２０は、本体部２の裏側筐体部分を構成する裏側ケース２１と、アッパーアーム部５の裏側筐体部分を構成する裏側アッパーアーム部２２と、ロア−アーム部６の裏側筐体部分を構成する裏側ロア−アーム部２３とを有する。なお、裏側筐体部２０の内側には、軟質ゴムなどからなるクッション部材２８が取付けられる（図２の（ｂ）ではクッション部材２８が取外された状態で示されている）。クッション部材２８は、裏側ケース２１の裏側ないし内側に取付けられる本体クッション２８ａ、裏側アッパーアーム部２２の裏側ないし内側に取付けられるアッパークッション２８ｂ及び裏側ロア−アーム部２３の裏側ないし内側に取付けられるロア−クッション２８ｃを含む。クッション部材２８は、裏側ケース２１と協働して、スピーカ５２やマイクロホン６３の音孔に対応する領域に、音の伝播路２８ｄ，２８ｅを形成している。
【００２９】
本体部２の表側及び裏側の筐体部分１１，２１の間には、メインモジュール４１や回路枠４２やポリマー電池４３などが収容され、アッパーアーム部５の表側及び裏側の筐体部分１２，２２内には、アンテナモジュール５１やスピーカ５２などが収容され、ロア−アーム部６の表側及び裏側の筐体部分１３，２３内には、ＬＥＤ回路ブロック６１やＬＥＤ導光板６２やマイクロホン６３などが収容される。メインモジュール４１は、通信処理回路部その他の情報処理回路部を含むと共に液晶表示部及びその表示制御部を含み、必要に応じて、剛性の回路基板部に実装される。メインモジュール４１の回路部は、高周波（ＲＦ）信号の処理回路やＧＨｚ程度の高周波成分を含むパルス信号の処理回路を含み得る。なお、５２ａはスピーカ押えクッション、５２ｂはスピーカ押えクッション座である。
【００３０】
また、腕装着型通信装置１の筐体７には、該腕装着型通信装置１の本体部２及び両側のアーム部５，６にわたって拡がったフレキシブル回路基板部７０ａ，７０ｂ，７０ｃを備えたフレキシブル回路基板からなるスイッチ回路ブロック７０が収容されている。フレキシブル回路基板７０は、表側および裏側筐体１０，２０の外縁形状と同様な外縁形状を有し、各回路基板部７０ａ，７０ｂ，７０ｃのうち配線パターンのないフレキシブルなプラスチック基材の外縁部が、表側および裏側筐体１０，２０の対応する筐体部分１１，１２，１３及び２１，２２，２３の間において、防水パッキンの如きシール部材を介して挟持され、筐体１０，２０の内部を液密にシールしている。ここで、本体部２内のフレキシブル回路基板部７０ａが第一回路基板部を構成し、アーム部５内のフレキシブル回路基板部７０ｂが第二回路基板部を構成する。スイッチ回路ブロック７０は、フレキシブル回路基板の基材７１と該基材７１上に形成された配線パターン７２とを含む。
【００３１】
配線パターン７２は、アッパーアーム部５内に位置するアッパーアーム領域配線パターン７３と、本体部２内に位置する本体領域配線パターン７４と、ロア−アーム部６内に位置するロア−アーム領域配線パターン７５と、領域配線パターン７３，７４とをつなぐ細長い接続配線パターン７６と、領域配線パターン７４，７５をつなぐ細長い接続配線パターン７７とを含む。
【００３２】
配線パターン７２は、大半の領域を占めるアース電極としてのアース配線パターン３２と、それ以外の信号配線パターン７８とからなる。
【００３３】
アース配線パターンないしアースパターン３２は、アッパーアーム部５内に位置しアッパーアーム領域配線パターン７３の大半の部分を構成するアッパーアーム領域アースパターン３３と、本体部２内に位置し本体領域配線パターン７４の大半の部分を構成する本体領域アースパターン３４と、ロア−アーム部６内に位置しロアーアーム領域配線パターン７５の大半の部分を構成するロア−アーム領域アースパターン３５と、領域配線パターン７３，７４とをつなぐ細長い接続配線パターン７６の一部を構成し領域アースパターン３３，３４とをつなぐ細長い接続アースパターン３６と、領域配線パターン７４，７５をつなぐ細長い接続配線パターン７７の一部を構成し領域アースパターン３４，３５をつなぐ細長い接続アースパターン３７とを含む。
【００３４】
アッパーアーム領域配線パターン７３は、アッパーアーム部５の外周縁近傍に沿って延びたほぼ長円形の部分７３ａと、該長円形部分７３ａのうち本体側の辺の内側に突出した舌片状のアンテナ接続部７３ｂとを含む。アッパーアーム領域アースパターン３３も、アッパーアーム領域配線パターン７３の長円形部分７３ａの一部を構成するたほぼ長円形の部分３３ａと、該長円形部分３３ａのうち本体側の辺の内側に突出した舌片状のアンテナ接続部３３ｂとを含む。但し、アッパーアーム領域配線パターン７３の舌片状のアンテナ接続部７３ｂは、実質的に全てが、アッパーアーム領域アースパターン３３の舌片状アンテナ接続部３３ｂからなる。
【００３５】
本体領域配線パターン７４はメインモジュール４１の外周縁形状にほぼ対応するほぼ四角形状を有し、本体領域配線パターン７４のアースパターン３４は、メインモジュール４１が剛性回路基板を含むか剛性回路基板に接続・実装される場合、該剛性回路基板の接地端子（アースパターン）に接続される。ロア−アーム配線領域パターン７５は、ロアーアーム部６の外形形状に応じた外形形状を有し、後述のように、押ボタン６ａの配置に応じたドームスイッチ７５ａを含む。
【００３６】
パッチアンテナ５１は、ほぼ矩形の厚板状で帯域幅が拡がるように幅方向の厚さを変化させるべく彎曲した上面５３ａを備えた誘電体５３と、誘電体５３の湾曲面５３ａのほぼ全域上に形成された放射導体層ないし放射導体部５４と、誘電体５３平坦な底面５３ｂの実質的に全域に形成された接地導体層ないし接地導体部５５とを備え、例えば、部位５１ａに給電用のスルーホール又は貫通孔５３ｃを備える。なお、図面では、導体層５４，５５が誇張して厚く示されている。所望の帯域幅でアンテナ特性が確保される場合には誘電体５３の上面５３ａは例えば底面５３ｂと平行な平面でもよい。アンテナ５１の底面５３ｂ側には、コンデンサ及びコイルを含む整合回路（図示せず）を備えたアンテナ基板５６が固着されている。アンテナ基板５６のうち図示しない整合回路以外の部分には、接地用導体層が形成されている。アンテナ基板５６の面積はパッチアンテナ５１の接地導体層ないしアース電極５５の面積よりも小さい。給電点５１ａの位置の設計等によりアンテナ５１と回路側とのインピーダンス整合が取れる場合にはアンテナ基板５６はなくてもよい。アンテナ５１の誘電体５３の孔５３ｃに対応するアンテナ基板５６の部位にも給電用のスルーホールないし貫通孔５６ａが形成され、該孔５６ａ，５３ｃを介して給電用同軸ケーブル５７の内側ないし中心導体５７ａが放射導体部５４に電気接続されている。図４の（ａ）において、５６ｂは中心導体５７ａとスルーホール５６ａ，５３ｃとの半田付部、５６ｃは外側のシールド用導体５７ｂとアンテナ基板５６の接地用導体層との半田付部である。なお、アンテナ５１の接地導体層５５には、フレキシブル回路基板７０の配線パターン７２のうちアースパターン３２のアッパーアーム領域アースパターン３３の舌片状アンテナ基板接続部３３ｂが電気接続されている。従って、第二回路基板部としてのフレキシブル回路基板部７０ｂのアースパターン３３は、パッチアンテナ５１よりも実質的に内周側に即ち腕部Ｗに近接する側に位置する。なお、舌片状接続部３３ｂは、図４の（ａ）において想像線５１ｄで示したような別の固着用コネクタで固定接続されてもよい。アースパターン３３を備えたフレキシブル回路基板部７０ｂがパッチアンテナ５１の接地導体層５５側で該接地導体層５５に接続されている限り、アンテナ基板５６やアースパターン３３の舌片状接続部３３ｂの形状や配置や固定の仕方や同軸ケーブル５７の接続の仕方は異なっていてもよい。
【００３７】
同軸ケーブル５７は、図３及び図４からわかるように、アンテナ５１のうち本体２に近い側縁部のところにおいて符号５７ｃで示したように逆Ｕ字状に湾曲固定され、更に、符号５７ｄで示したように回動軸３のまわりで螺旋状に延びて該回動軸３に遊嵌されて本体２の筐体内に入り、送受信信号処理回路を含むメインモジュール４１に延びている。なお、配線パターン７２も細長い接続パターン部７６が回動軸３を跨ぐところ７６ａにおいて回動軸３の周りに螺旋状に遊嵌されている。接続パターン７７と回動軸４との配置も同様である。なお、３ａは、剛性バンド部５のロックが解除された場合に該剛性バンド部５を回動軸３のまわりで開位置に偏倚させるバネである。回動軸４及び剛性バンド６についても同様な働きをするバネが設けられている。
【００３８】
なお、図１からわかるように、部位５１ａにおいてアンテナ５１の給電点となるスルーホール５３ｃ，５６ａが配線パターン７２のアッパーアーム領域パターン７３の長円形部分７３ａのうち右側の外周部分７３ｃよりも左側の外周部分７３ｄに近接して位置するので、該アンテナ５１の給電点５１ａ近傍で強くなり易い送受信電波の影響を最小限に抑えるように、スピーカ５２の信号線及びアース線は、長円形部分７３ａのうち給電点５１ａから離れた方すなわち右側の外周部分７３ｃにおいて、配線パターン７２に接続されている。このようにすることにより、アンテナ５１において例えば２００Ｈｚ程度で電波の送信又は受信が間欠的に繰返されるような場合であって、可聴周波数領域のノイズがスピーカ５２の音響信号にのる虞を最低限に抑え得る。なお、長円形部分７３ａのアースパターン３３ａは、完全に閉じていてもよいけれども、所望ならば、図１の端部部分３３ｅで開いていてもよい。
【００３９】
ロア−アーム領域の配線パターン７５は、ロア−アーム領域アースパターン３５に加えて、マイクロホン６３の給電線及び信号線と、ＬＥＤの給電線と、多数のドーム状スイッチ部７５ａ及びその信号線とを含む。各ドーム状スイッチ部７５ａは、下側の配線基板部と弾性を備えたドーム状の上側配線基板部とを有し、対応する押ボタン６ａの押圧により、上下の配線パターンが電気接続されて各押ボタン６ａに固有の信号を発生させる。ＬＥＤ回路ブロック６１のＬＥＤは、接続コネクタ６１ａを介して給電され、ＬＥＤ回路ブロック６１のＬＥＤからの光がＬＥＤ導光板６２を介して押ボタン６ａを暗所でも視認可能に背面側から照明する。
【００４０】
なお、ロア−アーム６は、腕装着型通信装置１が腕部Ｗに装着された状態では、パッチアンテナ５１のほぼ背面側に位置するので、元来パッチアンテナ５１で送受信される電波の影響を受け難いだけでなく、パッチアンテナ５１の接地導体５５につながったアースパターン３５がその大半の部分を占めることにより、アンテナ５１から放射される電波が背面側に出るのを最低限に抑える。
【００４１】
以上の如く構成された腕装着型通信装置１では、使用可能状態においては、主として図２及び図３からわかるように、アッパーアーム領域アースパターン３３と本体領域アースパターン３４とロアーアーム領域アースパターン３５と接続アースパターン３６，３７とからなるアースパターン３２を大半の領域にわたって備えたフレキシブル配線基板７０が、図２の（ｂ）及び図３において太い実線で示した領域、即ち、アッパーアーム５と本体２とロア−アーム６のほぼ全域において、裏側筐体部２０にほぼ沿って連続的に延在する。
【００４２】
従って、腕装着型通信装置１が、より詳しくはそのアーム５，６が、図２の（ｂ）において実線で示され同図の（ａ）に示されたように、取外し位置（開位置）Ｐｄにある場合、アースパターン３２は、パッチアンテナ５１の接地導体層５５側において、パッチアンテナ５１よりもはるかに広い範囲にわたってほぼ平面的に延在した状態を採る。なお、利用者が、この腕装着型通信装置１を、この開位置Ｐｄにおいて、スピーカ５２のある受話部に耳をあてマイクロホン６３のある送話部の近傍に口部を近づけていわゆる携帯電話として使用する場合、パッチアンテナ５１は、その接地導体層５５に直接接続されたアースパターン３２を間に挟んで利用者の顔の側面に近接せしめられることになる。
【００４３】
一方、図２の（ｂ）において想像線で示したように、剛性のアッパーアーム５及びロア−アーム６が、夫々の回動軸３及び４のまわりで閉位置Ｐｍに回動されて且つ利用者の腕部Ｗの手首部Ｗ１のところ巻かれる装着位置Ｐｍ１に設定される場合、腕部Ｗの手首部Ｗ１は実質的にアースパターン３２（図２の（ｂ）の太い想像線で示したもの）で取囲まれ、その外周側に接地導体層５５が内周側に向いたパッチアンテナ５１が装着されることになる。
【００４４】
すなわち、以上の如く構成された腕装着型通信装置１では、接地導体５５が放射導体５４よりも内周側に位置するようにパッチアンテナ５１が筐体部１０，２０内に収容されているので、腕装着型通信装置１が利用者の腕部Ｗに装着された状態Ｐｍ１において、パッチアンテナ５１によるマイクロ波またはこれに近い波長領域等の電波の送受信に際して、腕部Ｗの影響が最低限に抑えられ得る。
【００４５】
また、この腕装着型通信装置１では、第二回路基板部としてのフレキシブル配線基板部７０ｂのアッパーアーム領域配線パターン７３のアースパターン３３がパッチアンテナ５１よりも内周側においてバンド部としてのアッパーアーム部５の筐体部すなわち表側及び裏側アッパーアーム部１２，２２内に位置し、パッチアンテナ５１の接地導体５５がアッパーアーム領域配線パターン７３のアースパターン３３に接続されているので、パッチアンテナ５１によるマイクロ波またはこれに近い波長域等の電波の送受信に際して、腕部Ｗの影響が最低限に抑えられ得る。
【００４６】
更に、この腕装着型通信装置１では、パッチアンテナ５１が本体２のところではなくてアッパーアーム部５に収容されていているので、本体２内に収容された通信装置本体や情報処理装置本体として機能し得るメインモジュール４１から離れたところに位置し得るから、パッチアンテナ５１のマイクロ波またはこれに近い波長域等の電波によりメインモジュール４１などの回路部分が影響を受ける虞を最低限に抑え得る。また、この腕装着型通信装置１では、パッチアンテナ５１が本体２のところではなくてアッパーアーム部５に収容されていているので、本体２の小型化・薄型化が図られ得る。
【００４７】
加えて、この腕装着型通信装置１では、パッチアンテナ５１の接地導体５５にフレキシブル回路基板部７０ｂのアッパーアーム領域配線パターン７３のアースパターン３３で接続されたアースパターン３２を含むフレキシブル配線基板７０がメインモジュール４１の内蔵された本体２のケース１１，２１内に位置する本体領域配線パターン７４を含むので、パッチアンテナ５１の収容されたアッパーアーム部５内のフレキシブル回路基板部７０ｂの占有領域を最低限に抑えたままで、アースパターン３２が拡げられ得るから、アンテナ５１の帯域幅を拡げ得るだけでなく、腕部Ｗの影響を最小限に抑え得且つアンテナの利得を最大限に高め得る。
【００４８】
ここで、フレキシブル配線基板７０は、導電性パターンとしてはアースパターン３２のみを含むアース基板であってもよいけれども、アース基板に限られず、アース電極パターンに加えて、他の信号線のパターンや給電線のパターンを含んでいる。従って、フレキシブル配線基板７０に一方では各種の信号や給電エネルギを伝える本来の回路基板としての役割を果たさせつつ、他方では、アンテナ５１の送受信特性を高めることが可能になる。
【００４９】
なお、この腕装着型通信装置１では、フレキシブル配線基板７０の配線パターン７２は、パッチアンテナ５１の放射導体５４から比較的離れ、更に、腕装着型通信装置１が装着位置Ｐｍ１を採るか取外し位置Ｐｄを採るかにかかわらず、その接地導体５５の背面側に位置することから、放射導体５４のところで送受信される電波の影響を比較的受けにくく、且つ電波がパッチアンテナ５１の背面側から放射されたり背面側で受信されるのを最低限に抑え得る。
【００５０】
また、この腕装着型通信装置１ではアースパターン３２を含む回路基板７０の全体がフレキシブル配線基板からなり、且つフレキシブル配線基板７０が本体部２の筐体１１，２１内やアッパーアーム部５の筐体１２，２２やロア−アーム部６の筐体１３，２３内だけでなく本体部２とアッパーアーム部５やロア−アーム部６とを連結するヒンジ部（回動部）３，４を含む全体にわたって形成されているので、このフレキシブル回路基板部７０ｂのアースパターン３３にパッチアンテナ５１の接地導体５５を電気的に直結するだけで、大きなアースパターン３２につながった接地電極５５を備えたパッチアンテナ５１が得られることになる。
【００５１】
この腕装着型通信装置１では、バンド部としてのアーム部が、一対すなわちアッパー及びロア−アーム部５，６からなり、アースパターン３２を備えたフレキシブル配線基板７０が、本体部２及びアーム部５，６のうちパッチアンテナ５１が収容されたアッパーアーム部５だけでなく、もう一方のアーム部すなわちロア−アーム部６にも延びている。これにより、パッチアンテナ５１の接地電極５５に接続されるアースパターン３２を最大限に拡げることが可能になるだけでなく、利用者の腕部Ｗの実質的に全周をアース電極３２で取囲むことが可能になり、パッチアンテナ５１の背面側に位置する利用者の腕部Ｗの影響を最小限に抑えることが可能になるだけでなく、該背面側に位置する利用者の腕部Ｗがマイクロ波領域の電波の影響を受けるのを最低限に抑え得る。
【００５２】
なお、アースパターン３２を備えたフレキシブル配線基板７０は、パッチアンテナ５１のあるアッパーアーム部５と本体部２との間だけに拡がっていてもよいけれども、上記の理由から、もう一方のアーム部すなわちロア−アーム部６においてノイズの影響を受けやすい極めて高い周波数成分の信号の処理が行われるなどの事情やパッチアンテナ５１で送受信されるマイクロ波の如き極超短波領域などの電波に、より低いけれども信号強度の高い周波数成分が特に重なり該周波数成分を含む領域の信号処理をロア−アーム部６内で行う必要がある等の如き特別の事情などがない限り、フレキシブル回路基板７０のアースパターン３２がロア−アーム部６にも延びていることが好ましい。パッチアンテナ５１は、その接地導体部５５がアースパターン３２に接続される限り、アッパーアーム部５の代わりにロア−アーム部６に収容されてもよく、また、場合によっては、アッパーアーム部５及びロア−アーム部６に別々のパッチアンテナが収容されてもよい。
【００５３】
なお、例えば、パッチアンテナ５１で数１００Ｈｚ程度の繰返し周波数で信号の送信又は受信が行われる場合、アンテナ５１の信号に数１００Ｈｚ程度の比較的強いサイドバンドが生じるけれども、前述のように、フレキシブル回路基板７０の配線パターン７３を、スピーカ５２から入った可聴周波数領域の信号の伝達のために使用される領域７３ｃと、パッチアンテナ５１に関連して使用されるべき領域７３ｄとに分けることにより、パッチアンテナ５１からの数１００Ｈｚのノイズが低減されるのを実際上避け得、スピーカ５２の信号の質を高め得ることが確認された。
【００５４】
なお、フレキシブル配線パターン７０のアースパターン３２にパッチアンテナ（約２ｃｍ×約２ｃｍ×約４〜５ｍｍ（厚さ））５１の接地導体層５５を実質的に接続した場合（Ｆ１１）と１〜２ｍｍ程度に近接した領域があっても導体により接続されていない場合（Ｆ１２）とを比較する実験（Ｆ１）を１．９ＧＨｚ帯域のマイクロ波について行ったところ、図５及び図６に示すように、下記の点が確認された。図５にＦ１２の場合の実験データ、図６にＦ１１の場合の実験データを示す。
（１）  Ｆ１１の場合の方がＦ１２の場合よりも、アンテナ５１の反射効率が改善されたことで利得が増加し、且つ装置１のアーム部５，６を閉位置Ｐｍに設定して腕Ｗに装着した状態Ｐｍ１（図２の（ｂ）の想像線で示した状態（腕Ｗがある状態））と閉位置Ｐｍであるけれども腕Ｗに装着しない状態Ｐｍ２（図２の（ｂ）の想像線で示した状態であって腕Ｗがない状態）との間で、アンテナ５１の反射効率の変動が小さくなり、利得の変動が小さくなった。（２）  Ｆ１１の場合のほうがＦ１２の場合よりも、状態Ｐｍ２における受信信号の帯域幅が増加した。
【図面の簡単な説明】
【００５５】
【図１】本発明による好ましい一実施例の腕装着型通信装置の分解斜視説明図。
【図２】図１の腕装着型通信装置の外観などを表したもので、（ａ）は開位置（取外し位置）ある場合の平面説明図、（ｂ）は（ａ）の正面説明図であり、閉位置（装着位置）にある状態が更に想像線で示されている。
【図３】図２の腕装着型通信装置のうち、アンテナを内蔵するアッパーアーム部を更に拡大して示したもので、図２の（ａ）のＩＩＩ−ＩＩＩ線にほぼ沿った断面説明図。
【図４】図３のアッパーアーム部のうちアンテナ部分を示したもので、（ａ）は底面説明図、（ｂ）は同心ケーブルの取出部分を更に拡大して示した説明図。
【図５】フレキシブル配線パターンのアースパターンにパッチアンテナの接地導体層を接続しない場合のアンテナ特性を表すグラフで、（ａ）は装置を腕に装着した状態、（ｂ）は装置を腕に装着しない状態。
【図６】フレキシブル配線パターンのアースパターンにパッチアンテナの接地導体層を接続した場合のアンテナ特性を表すグラフで、（ａ）は装置を腕に装着した状態、（ｂ）は装置を腕に装着しない状態。
【符号の説明】
【００５６】
１  腕装着型通信装置
２  本体部
３，４  回動軸
５  アッパーアーム部
６  ロアーアーム部
１０  表側筐体部
１１  表側ケース
１２  表側アッパーアーム部
１３  表側ロアーアーム部
２０  裏側筐体部
２１  裏側ケース
２２  裏側アッパーアーム部
２３  裏側ロアーアーム部
３２  アースパターン
３３  アッパーアーム領域アースパターン
３４  本体領域アースパターン
３５  ロアーアーム領域アースパターン
３６，３７  接続アースパターン
４１  メインモジュール
４２  回路枠
４３  電池
５１  パッチアンテナ
５１ａ  給電点
５２  スピーカ
５３  誘電体
５３ｃ，５６ａ  スルーホール
５４  放射導体
５５  接地導体
５６  整合回路基板
５７  同軸ケーブル
６１  ＬＥＤ回路ブロック
６２  ＬＥＤ導光板
６３  マイクロホン
７０  スイッチ回路ブロック（フレキシブル回路基板）
７０ａ  本体部のフレキシブル回路基板部（第一回路基板部）
７０ｂ  アッパーアーム部のフレキシブル回路基板部（第二回路基板部）
７０ｃ  フレキシブル回路基板部
７１  基材
７２  配線パターン
７３  アッパーアーム領域配線パターン
７４  本体領域配線パターン
７５  ロアーアーム領域配線パターン
７６，７７  接続配線パターン
Ｐｄ  取外し位置
Ｐｍ  閉位置
Ｐｍ１  装着位置
【図１】
2004312707.tif 000003
【図２】
2004312707.tif 000004
【図３】
2004312707.tif 000005
【図４】
2004312707.tif 000006
【図５】
2004312707.tif 000007
【図６】
2004312707.tif 000008